(57)【要約】【課題】キャップを回転し取り外す場合において、容易かつ確実に取外しができる容器とキャップの係合構造に関する。【解決手段】係合体と、該係合体に摺動自在に嵌合するキャップとから構成され、（１）前記係合体は、外周壁に、前記キャップの係合突起が回動・摺動して乗り上げる複数の乗上げ係合部と、前記乗上げ係合部への乗り上げに連動して、キャップの係合突部と係脱自在に係合する溝部を有し、（２）前記キャップは、円周方向に分散して設けられる複数の係合突起と、該係合突起と軸方向に重ならないように、係合突起間に分散して設けられる複数の係合突部とを有することを特徴とする容器とキャップの係合構造。【選択図】図１
2007326617.tif 000002
【特許請求の範囲】
【請求項１】
係合体と、該係合体に摺動自在に嵌合するキャップとから構成され、
（１）前記係合体は、外周壁に、前記キャップの係合突起が回動・摺動して乗り上げる複数の乗上げ係合部と、前記乗上げ係合部への乗り上げに連動して、キャップの係合突部と係脱自在に係合する溝部を有し、
（２）前記キャップは、円周方向に分散して設けられる複数の係合突起と、該係合突起と軸方向に重ならないように、係合突起間に分散して設けられる複数の係合突部とを有することを特徴とする容器とキャップの係合構造。
【請求項２】
前記係合体の溝部とキャップの係合突部に代えて、係合体に係合突部及びキャップに溝部を形成したことを特徴とする請求項１記載の容器とキャップの係合構造。
【請求項３】
前記係合体の乗上げ係合部が下方に、溝部が上方に形成されたことを特徴とする請求項１又は２記載の容器とキャップの係合構造。
【請求項４】
前記係合体の乗上げ係合部が上方に、溝部が下方に形成されたことを特徴とする請求項１又は２記載の容器とキャップの係合構造。
【請求項５】
前記係合体が、容器の口部に螺合又は嵌合される中栓体で構成されることを特徴とする請求項１〜４記載の容器とキャップの係合構造。
【請求項６】
前記容器が、チューブ容器、ボトル容器又はエアゾール容器から選ばれる１つであることを特徴とする請求項１〜５記載の容器とキャップの係合構造。
【発明の詳細な説明】
【技術分野】
【０００１】
この発明は、容器とキャップの係合構造に関し、キャップを回転し取り外す場合において、確実かつ容易に取外しができる容器とキャップの係合構造に関する。
【背景技術】
【０００２】
従来、容器とキャップの係合構造としては、種々の係合構造のものがある。例えば、
図１２〜図１４に示すように、特許文献１に示す構造のものがある。図１２（ｂ）に示すように、容器５０の上方には、係合体５１が装着されており、この係合体５１には、複数の乗上げ係合部５２と、その上方に円周方向全周に、溝部５３が形成されている。一方、図１２（ａ）に示すキャップ５４の内側には、円周方向に分散して複数の係合突起５５と、係合突起５５の上方に、円周方向全周に、係合突部５６が形成されている。キャップ５４が、容器５０の係合体５１に係合している場合は、キャップ５４の係合突部５６と係合体５１の溝部５３は係合しており、キャップ５４を、容器５０の係合体５１から取り外すと、キャップ５４の係合突部５６と係合体５１の溝部５３は係合が解除される。すなわち、キャップ５４を円周方向に回転させると、キャップ５４の係合突起５５は、係合体５１の乗上げ部５２に乗り上げる。このとき、係合突部５６は、係合体５１の溝部５３から強制的に係合が解除され、キャップが容器から外れる。
る。
【特許文献１】実公昭４７−２２９０６号公報
【発明の開示】
【発明が解決しようとする課題】
【０００３】
しかし、このような容器とキャップの係合構造においては、キャップ５４を係合体５１から取り外す場合には、図１３に示すように、キャップ５４の外側を指で押圧して（図１３の矢印方向）、円周方向に回転させて、係号突起５５を乗上げ部５２に乗り上げさせて、係合突部５６を、係合体５１の溝部５３から強制的に係合を解除する。この場合、キャップ５４を回転すると、キャップ５４の裾部が外側に広がるように変形するため、図１４に示すように、キャップ５４の係合突起５５が、係合体５１の乗上げ部５２から外側へ、係合が外れてしまう欠点がある。この場合、係合突部５６と溝部５３の係合を、スムーズに解除することができないため、キャップ５４を容器から外すことができないという欠点があった。
この発明は、このような問題に着目してなされたものであり、キャップを回転し取り外す場合において、確実かつ容易に取外しができる、容器とキャップの係合構造を提供することを目的とする。
【課題を解決するための手段】
【０００４】
この課題を解決するため、請求項１記載の発明の解決手段は、係合体と、係合体に摺動自在に嵌合するキャップとから構成され、（１）係合体は、外周壁に、キャップの係合突起が回動・摺動して乗り上げる複数の乗上げ係合部と、乗上げ係合部への乗り上げに連動して、キャップの係合突部と係脱自在に係合する溝部を有し、（２）キャップは、円周方向に分散して設けられる複数の係合突起と、係合突起と軸方向に重ならないように、係合突起間に分散して設けられる複数の係合突部とを有することを特徴とする容器とキャップの係合構造である。キャップの複数の係合突起と、この係合突起間に分散して設けられる複数の係合突部が、軸方向に重さならない部位に、ずらして形成されたから、キャップを取り外す場合に、乗上げ係合部付近においてキャップの外形が、半径方向に縮小する変形を伴う。したがって、係合突起が乗上げ部から外側へ外れないため、確実に乗上げ部の頂部に乗り上げる。したがって、係合突部と溝との係合解除が確実になる。
【０００５】
請求項２記載の発明の解決手段は、係合体の溝部とキャップの係合突部に代えて、係合体に係合突部及びキャップに溝部を形成したことを特徴とする容器とキャップの係合構造である。係合体とキャップの間で、係合突部と溝を逆に設けても、同様の作用、効果を呈する。
【０００６】
請求項３記載の発明の解決手段は、係合体の乗上げ係合部が下方に、溝部が上方に形成されたことを特徴とする容器とキャップの係合構造である。
【０００７】
請求項４記載の発明の解決手段は、係合体の乗上げ係合部が上方に、溝部が下方に形成されたことを特徴とする容器とキャップの係合構造である。乗上げ係合部と溝を、上下逆に構成しても、同様の作用、効果を呈する。
【０００８】
請求項５記載の発明の解決手段は、前記係合体が、容器の口部に螺合又は嵌合される中栓体で構成されることを特徴とする容器とキャップの係合構造である。他に係合体と容器が、一体成形で構成することもできる。
【０００９】
請求項６記載の発明の解決手段は、容器が、チューブ容器、ボトル容器又はエアゾール容器から選ばれる１つであることを特徴とする容器とキャップの係合構造である。本発明は、チューブ容器、ボトル容器又はエアゾール容器等の各種の容器に適用することができる。
【発明の効果】
【００１０】
この発明によれば、キャップを回転し取り外す場合において、キャップの係合突起が、確実に係合体の乗上げ係合部に乗り上げるので、キャップの係合突部が溝部から容易に外れる効果を有する。
【発明を実施するための最良の形態】
【００１１】
以下、本発明の実施例を図面に基づいて説明する。
【実施例１】
【００１２】
図１〜図５は、本発明の実施例１を示す図面である。１はチューブ容器である。チューブ容器１の口部２には、係合体３が螺合されている。係合体３は、図３に示すように、外周壁の円周に沿って、４箇所に乗上げ係合部４が形成されている。この乗り上げ係合部４の上方には、外周壁の全周にわたって溝部５が形成されている。一方、この係合体３に係脱自在に係合するキャップ６の内周壁には、内周壁に沿って４箇所に、係合突起７が形成されている。そして、この係合突起７間には、４箇所の係合突部８が形成されている。すなわち、この発明の特徴は、図５に示すように、キャップ６を軸方向真上から見た場合に、キャップ６の内周壁に形成される係合突起７と、係合突部８が、軸方向に重ならないで一定の距離αずれた位置に形成されている点にある。係合突部８が、キャップ６の係合突起７間のほぼ中間部位に形成されることがより好ましい。
【００１３】
図４（ａ）は、キャップ６が係合体３の溝５に係合され、チューブ容器１の開口２が、キャップ６によって閉鎖されている状態を示す図面である。このとき係合突起７は、乗り上げ係合部４に乗り上げていない。又図４（ｂ）は、キャップ６が、係合体３の溝５から係合が解除された状態を示す図面である。このとき係合突起７は、乗り上げ係合部４に乗り上げている。すなわち、係合突起７が乗上げ係合部４に乗り上げることに連動して、溝５と係合突部８の係合が解除される。すなわち、本発明は、軸方向に重さならないで、ずらして形成されたから、キャップ６を取り外す場合に、乗上げ係合部４付近において、キャップ６の外形が、半径方向に縮小する変形を伴う（図７の縮小寸法Ｓ参照）ため、係合突起７が乗上げ部４から外側へ係合が外れず、確実に乗上げ部４の頂部に乗り上げる。したがって、係合突部８と溝５との係合解除が確実になる。なお、実施例１では、係合体がチューブ容器に螺合されているが、係合体が容器の上端部に、容器本体と一体成形で形成されてもよい（図示せず）。
【実施例２】
【００１４】
図６は、本発明の実施例２を示す図面である。実施例２の特徴は、係合体に係脱自在に係合するキャップ１６の内周壁に、内周壁に沿って３箇所の係合突起１７が形成されている。そして、この係合突起１７間のほぼ中間位置には、係合突部１８が形成され、この係合突部１８は、内周壁に沿って３箇所に設けられている。なお、このキャップ１６が係合する係合体（図示せず）には、キャップ１６に対応して、３箇所の乗上げ係合部が形成されている。その他の構成は、実施例１と同様である。なお、キャップの係合突起及び係合突部の数については、実施例１及び２の３個、４個以外に任意に形成することができることはいうまでもない。
【実施例３】
【００１５】
図８は、本発明の実施例３を示す図面である。実施例３の特徴は、本発明をボトル容器２１に適用した実施例であり、その他、容器とキャップの係合構造は実施例１と同様である。
【実施例４】
【００１６】
図９は、本発明の実施例４を示す図面である。実施例４の特徴は、本発明をエアゾール容器３１に適用した実施例であり、その他容器とキャップの係合構造は実施例１と同様である。
【実施例５】
【００１７】
図１０は、本発明の実施例５を示す図面である。実施例５の特徴は、係合体２３の溝部と、キャップ２６の係合突部が、逆に設けられ、係合体２３に係合突部２８、キャップ２６に溝２５が形成されたものである。係合突部と溝を逆に設けても、同様の作用、効果を呈する。その他、係合突起２７等の構成は実施例１と同様である。
【実施例６】
【００１８】
図１１は、本発明の実施例６を示す図面である。実施例６の特徴は、係合体３３の乗上げ係合部３４が上方に、溝部３５が下方に形成されたことを特徴とする容器とキャップの係合構造であり、実施例１と同様の作用、効果を呈する。その他、係合突起３７、キャップ３６、係合突部３８等の構成は、実施例１と同様である。
【産業上の利用可能性】
【００１９】
本発明の活用例として、すべての容器に適用することができるだけでなく、特に子供、老人等が使用する容器に適用することにより、キャップの回転、取外しを確実かつ容易に行うことができるので、バリアフリーを考慮した、容器とキャップの係合構造として、広く利用することができる。
【図面の簡単な説明】
【００２０】
【図１】本発明に係る実施例１のチューブ容器を示す断面図。
【図２】本発明に係る実施例１のキャップを示す断面図。
【図３】本発明に係る実施例１のチューブ容器の係合体を示す正面図。
【図４】本発明に係る実施例１のキャップと係合体の係合関係を示す拡大断面図            （ａ）及び（ｂ）。
【図５】本発明に係る実施例１のキャップの係合突部と係合突起の位置関係を示す            平面図。
【図６】本発明に係る実施例２のキャップの係合突部と係合突起の位置関係を示す            平面図。
【図７】本発明に係るキャップが開栓時に、変形する状態を示した平面図。
【図８】本発明をボトルに適用した場合の実施例３を示す断面図。
【図９】本発明をエアゾール容器に適用した場合の実施例４を示す断面図。
【図１０】本発明に係る実施例５の係合体とキャップの係合関係を示す拡大断面図。
【図１１】本発明に係る実施例６の係合体とキャップの係合関係を示す拡大断面図。
【図１２】従来のキャップと係合体を示す斜視図（ａ）及び正面図（ｂ）。
【図１３】従来のキャップを取り外す際に、キャップの変形を示す平面図。
【図１４】従来のキャップと係合体の係合関係を示す拡大図面。
【符号の説明】
【００２１】
３  係合体
６  １６  ２６  ３６  キャップ
７  １７  ２７  ３７  係合突起
４  ２４  ３４  乗上げ係合部
８  １８  ２８  ３８  係合突部
５  ２５  ３５  溝部
１  チューブ容器
２１  ボトル容器
３１  エアゾール容器
【図１】
2007326617.tif 000003
【図２】
2007326617.tif 000004
【図３】
2007326617.tif 000005
【図４】
2007326617.tif 000006
【図５】
2007326617.tif 000007
【図６】
2007326617.tif 000008
【図７】
2007326617.tif 000009
【図８】
2007326617.tif 000010
【図９】
2007326617.tif 000011
【図１０】
2007326617.tif 000012
【図１１】
2007326617.tif 000013
【図１２】
2007326617.tif 000014
【図１３】
2007326617.tif 000015
【図１４】
2007326617.tif 000016